(57)【要約】【課題】水平バーの着脱が容易なハンガーラック用ブラケットを提供する。【解決手段】床面から立設した支柱１０２に取り付けられ、衣服用ハンガーを吊り下げるための水平バーを支持するハンガーラック用ブラケット１において、左右方向に延びる梁材１１と、梁材１１の両端部に取り付けられたバネ材１３とを設ける。梁材１１は支柱１０２に対して着脱可能であり、端部に支持板２５が設けられている。支持板２５上にバネ材１３が取り付けられる。バネ材１３は、軸方向に沿って切込１３ａが形成された円筒形であり、軸方向が前後方向である。そして、バネ材１３が弾性変形することにより、切込１３ａを介して、バネ材１３の内部に水平バーを出し入れする。【選択図】図３
2011083522.tif 000002
【特許請求の範囲】
【請求項１】
床面から立設した支柱に取り付けられ、衣服用ハンガーを吊り下げるための水平バーを支持するハンガーラック用ブラケットであって、
一方向に延び、前記支柱に対して着脱可能であり、端部に支持板が設けられた梁材と、
前記支持板上に取り付けられ、形状が軸方向に沿って切込が形成された筒形であり、前記軸方向が前記一方向に対して交差しており、弾性変形することにより前記切込を介して内部に前記水平バーを出し入れ可能なバネ材と、
を備えたことを特徴とするハンガーラック用ブラケット。
【請求項２】
前記ハンガーラック用ブラケットを前記支柱に取り付けたときに、前記切込は、前記バネ材の中心軸から見て、上方に対して前記支柱から離れる側に傾斜した外側斜め上方に向けて開口していることを特徴とする請求項１記載のハンガーラック用ブラケット。
【請求項３】
前記バネ材には円周方向に延びる長穴が形成されており、前記バネ材は前記長穴を挿通するボルトによって前記支持板に対して固定されることを特徴とする請求項１または２に記載のハンガーラック用ブラケット。
【請求項４】
前記梁材は、形状が相互に同一であり、それぞれに前記支持板が設けられた一対の片側材を有し、
前記一対の片側材同士が前記支柱を挟んで連結されることにより、前記梁材が前記支柱に対して固定されることを特徴とする請求項１〜３のいずれか１つに記載のハンガーラック用ブラケット。
【請求項５】
前記一方向における前記梁材の中央部に取り付けられ、前記一方向に対して交差する方向であって前記梁材から離れる方向に延出した柱材と、
前記中央部に取り付けられ、前記柱材が延出する方向に対して逆の方向に延出し、形状が軸方向に沿った切込が形成された筒形であり、内径が前記柱材の外径よりも大きい他のバネ材と、
をさらに備え、
前記梁材は前記中央部において前記支柱に連結され、前記支持板は前記梁材の両端部に設けられており、
前記柱材の中心軸及び前記他のバネ材の中心軸は同一の直線上に配置されていることを特徴とする請求項１〜４のいずれか１つに記載のハンガーラック用ブラケット。
【発明の詳細な説明】
【技術分野】
【０００１】
本発明は、ハンガーラック用ブラケットに関し、特に、衣服をハンガーに吊した状態で保持するハンガーラックに用いられるハンガーラック用ブラケットに関する。
【背景技術】
【０００２】
アパレル業界においては、商品の流通過程において、大量且つ多品種の衣服が中継地点で一時的に保管される。このような中継地点においては、通常、ハンガーラックが設置されており、このハンガーラックに衣服を吊り下げて保持している（例えば、特許文献１参照。）。設置型のハンガーラックにおいては、保管場所の床面に複数本の支柱が一列に立てられ、各支柱に水平方向に張り出したブラケットが取り付けられ、ブラケットの両端部に水平バーが取り付けられる。これにより、水平バーは複数本のブラケットによって共同で支持される。そして、この水平バーに衣服用ハンガーが吊り下げられる（例えば、特許文献２参照。）。このとき、水平バーはブラケットに対してネジ止めされることにより、固定される（例えば、特許文献３参照。）。
【０００３】
設置する水平バーの最適な段数は、保管する衣服の種類によって異なる。例えば、丈が長いコートであれば１段とし、スーツであれば２段とし、子供服であれば４段とすれば、面積効率の良い保管が可能となる。一方、流通する衣服の種類は季節毎に変化するため、季節毎にハンガーラックを組み替えれば、保管場所を常に効率的に利用することができる。
【０００４】
しかしながら、上述のハンガーラックにおいては、水平バーがブラケットに対してネジ止めされているため、簡単には着脱できない。このため、ハンガーラックを組み替えようとすると、多大な労力と時間を要してしまう。また、組み替え作業中のハンガーラックには、衣服を保管することができないため、組み替え作業中は実質的な保管面積が小さくなってしまう。このような事情により、現実にはハンガーラックの組み替えはほとんど行わず、面積効率が低い状態のまま、ハンガーラックを使用することが多い。
【先行技術文献】
【特許文献】
【０００５】
【特許文献１】実用新案登録第３０６５１９７号
【特許文献２】特開平７−３３０１２４号公報
【特許文献３】特開平８−５８８３１号公報
【発明の概要】
【発明が解決しようとする課題】
【０００６】
本発明の目的は、水平バーの着脱が容易なハンガーラック用ブラケットを提供することである。
【課題を解決するための手段】
【０００７】
本発明の一態様によれば、床面から立設した支柱に取り付けられ、衣服用ハンガーを吊り下げるための水平バーを支持するハンガーラック用ブラケットであって、一方向に延び、前記支柱に対して着脱可能であり、端部に支持板が設けられた梁材と、前記支持板上に取り付けられ、形状が軸方向に沿って切込が形成された円筒形であり、前記軸方向が前記一方向に対して交差しており、弾性変形することにより前記切込を介して内部に前記水平バーを出し入れ可能なバネ材と、を備えたことを特徴とするハンガーラック用ブラケットが提供される。
【発明の効果】
【０００８】
本発明によれば、水平バーの着脱が容易なハンガーラック用ブラケットを実現することができる。
【図面の簡単な説明】
【０００９】
【図１】本発明の第１の実施形態に係るハンガーラック用ブラケットを含むハンガーラックを例示する上面図である。
【図２】第１の実施形態に係るハンガーラック用ブラケットを含むハンガーラックを例示する斜視図である。
【図３】第１の実施形態に係るハンガーラック用ブラケットを例示する斜視図である。
【図４】第１の実施形態に係るハンガーラック用ブラケットの片側材を例示する斜視図である。
【図５】第１の実施形態に係るハンガーラック用ブラケットのバネ材及びその周辺を例示する正面図である。
【図６】（ａ）は第１の実施形態に係るハンガーラック用ブラケットのバネ材を例示する斜視図であり、（ｂ）はその下面図である。
【図７】（ａ）及び（ｂ）は、第１の実施形態に係るハンガーラック用ブラケットの使用方法を例示する上面図である。
【図８】（ａ）は第１の実施形態に係るブラケットに水平バーを着脱する動作を模式的に例示する正面図であり、（ｂ）は水平バーから衣服を取り外す動作を模式的に例示する正面図である。
【図９】本発明の第２の実施形態に係るハンガーラック用ブラケットを例示する斜視図である。
【発明を実施するための形態】
【００１０】
以下、図面を参照しつつ、本発明の実施形態について説明する。
先ず、本発明の第１の実施形態について説明する。
以下、本実施形態に係るハンガーラック用ブラケットを含むハンガーラックについて説明する。
図１は、本実施形態に係るハンガーラック用ブラケットを含むハンガーラックを例示する上面図であり、
図２は、本実施形態に係るハンガーラック用ブラケットを含むハンガーラックを例示する斜視図である。
【００１１】
図１及び図２に示すように、本実施形態におけるハンガーラック１０１においては、支柱１０２が複数本設けられている。支柱１０２は保管場所の床面１００から垂直に起立しており、床面１００に対して固定されている。支柱１０２の上端は保管場所の天井に固定されていてもよい。また、支柱１０２は一定の間隔で一列に配列されている。例えば、支柱１０２の配列間隔は１５００〜１６００ｍｍ（ミリメートル）であり、十数メートルにわたって配列されている。以下、説明の便宜上、支柱１０２の配列方向を「支柱配列方向」といい、水平方向のうち支柱配列方向に対して直交する方向を「列幅方向」という。また、重力の方向を「垂直方向」という。
【００１２】
各支柱１０２には、本実施形態に係るハンガーラック用ブラケット（以下、単に「ブラケット」ともいう）１が取り付けられている。各支柱１０２におけるブラケット１が取り付けられた位置の高さは、相互に同一である。ブラケット１は一方向に延びる棒状の部材であり、その中央部が支柱１０２に対して着脱可能となっている。また、ブラケット１は列幅方向に張り出すように、支柱１０２に対して固定されている。
【００１３】
ブラケット１の両端部には、水平バー１０３が取り付けられている。水平バー１０３は例えばステンレス製のパイプであり、その長さは支柱１０２の列の長さと同程度、すなわち、例えば十数メートルである。一列に配列された複数本の支柱１０２に取り付けられた複数本のブラケット１は、共同で２本の水平バー１０３を支持している。各水平バー１０３は支柱配列方向に延びている。
【００１４】
また、隣り合う支柱１０２の中央部間には、短型水平バー１０４が配置されている。短型水平バー１０４も水平バー１０３と同様に例えばステンレス製のパイプであり、その直径は例えば水平バー１０３の直径と等しいが、その長さは水平バー１０３の長さよりも短く、隣り合う支柱１０２間の距離とほぼ等しい。このため、短型水平バー１０４は隣り合う支柱１０２間毎に設けられている。各短型水平バー１０４は、隣り合う支柱１０２に取り付けられた２本のブラケット１によって支持されている。
【００１５】
このように、一列に配列された複数本の支柱１０２、各支柱に取り付けられた複数本のブラケット１、複数本のブラケット１により共同で支持された２本の水平バー１０３、及び支柱１０２間毎に設けられた短型水平バー１０４により、ハンガーラック１０１が構成されている。そして、水平バー１０３及び短型水平バー１０４に衣服用ハンガー１１０が吊り下げられることにより、ハンガーラック１０１が衣服１１１を保持する。ハンガーラック１０１の両側は、例えば通路になっている。なお、保管場所には複数組のハンガーラック１０１が設置されていてもよい。また、説明の便宜上、本実施形態においては、各支柱１０２にはブラケット１が１本のみ取り付けられている例を説明するが、各支柱１０２には複数本のブラケット１が取り付けられていてもよい。この場合、水平バー１０３及び短型水平バー１０４は、垂直方向に多段に配列されることになる。
【００１６】
次に、本実施形態に係るハンガーラック用ブラケットについて説明する。
図３は、本実施形態に係るハンガーラック用ブラケットを例示する斜視図であり、
図４は、本実施形態に係るハンガーラック用ブラケットの片側材を例示する斜視図であり、
図５は、本実施形態に係るハンガーラック用ブラケットのバネ材及びその周辺を例示する正面図であり、
図６（ａ）は本実施形態に係るハンガーラック用ブラケットのバネ材を例示する斜視図であり、（ｂ）はその下面図である。
【００１７】
図３に示すように、本実施形態に係るハンガーラック用ブラケット１においては、一方向に延びる梁材１１が設けられている。梁材１１は一対の片側材１２により構成されている。一対の片側材１２の形状は、相互に同一である。片側材１２は例えば鋼材により形成されており、例えば表面に金属、例えばクロムが電気めっきされている。このため、片側材１２はコストが低く、強度が高く、錆びにくい。また、塗膜のように剥離して衣服１１１を汚すことがない。
【００１８】
以下、説明の便宜上、梁材１１が延びる方向を「左右方向」といい、左右方向に対して直交する２方向をそれぞれ「上下方向」及び「前後方向」という。ブラケット１をハンガーラック１０１に組み込んだときに、「上下方向」は「垂直方向」と一致する。また、ブラケット１の取り付けが正確であれば、「左右方向」は「列幅方向」と一致し、「前後方向」は「支柱配列方向」と一致する。
【００１９】
図４に示すように、各片側材１２においては、一方の端部側から、左右方向に沿ってネジ止め部２１、湾曲部２２、腕部２３、延出部２４及び支持板２５がこの順に設けられている。ネジ止め部２１、湾曲部２２及び腕部２３は一体的に形成されている。但し、ネジ止め部２１、湾曲部２２及び腕部２３は複数の部品により形成され、溶接又はネジ止め等の手段により相互に連結されていてもよい。
【００２０】
ネジ止め部２１の形状は略平板状であり、前後方向に延びるボルト用の穴２１ａが形成されている。湾曲部２２の形状は平板を略半円状に湾曲させた形状であり、その内径は支柱１０２の外径とほぼ等しい。腕部２３は左右方向に延びる平板状の部分であり、湾曲部２２側の部分に前後方向に延びるボルト用の穴２３ａが形成されている。ネジ止め部２１及び腕部２３の主面は相互に平行であり前後方向に対して直交しているが、ネジ止め部２１と腕部２３とは一直線上には配置されておらず、ネジ止め部２１及び腕部２３の板厚の分だけ前後方向にずれている。
【００２１】
延出部２４は、腕部２３の端部に溶接により接合されており、腕部２３の端部から斜め上方に延出している。支持板２５は延出部２４の先端部に溶接により接合されている。支持板２５は短冊状の部材であり、その長手方向は前後方向と一致している。支持板２５は、その幅方向（左右方向）に沿って屈曲又は湾曲しており、幅方向中央部が両端部に対して凹んでいる。支持板２５には、上下方向に延びるボルト用の穴２５ａが例えば２つ形成されている。
【００２２】
図３及び図４に示すように、２本の片側材１２が組み合わせられることにより、１本の梁材１１が構成される。このとき、一方の片側材１２のネジ止め部２１及び腕部２３がそれぞれ他方の片側材１２の腕部２３及びネジ止め部２１に当接され、一方の片側材１２の穴２１ａ及び穴２３ａがそれぞれ他方の片側材１２の穴２３ａ及び穴２１に連通され、これらの穴にボルト２８が挿通され、ボルト２８に袋ナット２９が取り付けられることにより、片側材１２同士が連結される。また、一対の腕部２３はほぼ同一直線状に配置され、一対の支持板２５は梁材１１の両端部に配置される。更に、一対の湾曲部２２は梁材１１の中央部に配置されて１つの円環部を構成する。
【００２３】
図３〜図６に示すように、各支持板２５の上面にはバネ材１３が取り付けられている。バネ材１３の形状は、軸方向（前後方向）に沿って切込１３ａが形成された円筒形である。バネ材１３の中心軸１３ｏから見て、切込１３ａを除いた部分の展開角度は例えば２２５°である。すなわち、切込１３ａの開口角度は例えば１３５°である。また、バネ材１３の板厚は例えば１ｍｍである。バネ材１３は、弾性に富むバネ用の金属材料により形成されており、例えばステンレス鋼により形成されており、例えば、ＳＵＳ３０４  ３／４Ｈ鋼により形成されている。この材料は、適度に硬く、加工性が良好であり、耐錆性が良好である。
【００２４】
バネ材１３には、円周方向に延びる長穴１３ｂが例えば２つ形成されている。そして、バネ材１３の長穴１３ｂ及び支持板２５の穴２５ａを挿通するボルト１４及びナット１５により、バネ材１３は支持板２５に取り付けられている。このとき、バネ材１３の軸方向は概ね前後方向となるが、ボルト１４は長穴１３ｂ内の任意の位置で固定できるため、支持板２５に対するバネ材１３の位置及び方向は、一定の範囲内で調節可能である。
【００２５】
また、長穴１３ｂは、バネ材１３における切込１３ａの両端縁から等距離にある位置から円周方向に少しずれた位置に形成されている。例えば、中心軸１３ｏから見て、長穴１３ｂの中心から切込１３ａの梁材１１側の端縁までの角度は１６０°であり、長穴１３ｂの中心から切込１３ａの他方の端縁までの角度は６５°である。これにより、バネ材１３が支持板２５に取り付けられたときに、バネ材１３の中心軸１３ｏから見て、切込１３ａは、外側斜め上方、すなわち、上方とネジ止め部２１から支持板２５に向かう方向との間の方向に向けて開口する。
【００２６】
図３に示すように、梁材１１を構成する一対の片側材１２のうち、一方の片側材１２の湾曲部２２の上面には、支持板３１が取り付けられている。支持板３１の構成は支持板２５の構成と同様である。支持板３１は、その長手方向が前後方向であり、この片側材１２から離れる方向に延出している。支持板３１上には、バネ材３２が取り付けられている。従って、バネ材３２は片側材１２よりも上方に配置されており、片側材１２から離れる方向に延出している。バネ材３２の構成は、バネ材１３の構成と同様である。すなわち、バネ材３２の形状は、軸方向（前後方向）に沿って切込３２ａが形成された円筒形である。バネ材３２の内径は短型水平バー１０４の外径よりもわずかに大きい。
【００２７】
一方、梁材１１を構成する一対の片側材１２のうち、他方の片側材１２の湾曲部２２の上面には、固定板３３が取り付けられている。固定板３３はその表裏面が前後方向に向いている。固定板３３の表面には、円柱形状の円柱材３４が取り付けられている。従って、円柱材３４は片側材１２よりも上方に配置されている。円柱材３４は、前後方向に延び、この片側材１２から離れる方向に延出している。すなわち、円柱材３４はバネ材３２が延出する方向に対して逆の方向に延出している。また、円柱材３４の中心軸とバネ材３２の中心軸とは同一の直線上に配置されている。円柱材３４の外径は、短型水平バー１０４の内径よりも小さい。
【００２８】
次に、ブラケット１の使用方法について説明する。
図７（ａ）及び（ｂ）は、本実施形態に係るハンガーラック用ブラケットの使用方法を例示する上面図であり、
図８（ａ）は本実施形態に係るハンガーラック用ブラケットに水平バーを着脱する方法を模式的に例示する正面図であり、（ｂ）水平バーから衣服を取り外す方法を模式的に例示する正面図である。
【００２９】
以下、ブラケット１を支柱１０２に着脱する方法について説明する。
先ず、ブラケット１の梁材１１を構成する一対の片側材１２同士を、それらの湾曲部２２間に支柱１０２を挟むように配置する。そして、穴２１ａ及び穴２３ａが連通した穴にボルト２８を挿通し、袋ナット２９によってネジ止めすることにより、一対の片側材１２を相互に連結する。これにより、一対の湾曲部２２によって構成される円環の内部に支柱１０２が配置され、湾曲部２２によって締め付けられることにより、湾曲部２２と支柱１０２との間に摩擦力が発生し、ブラケット１は支柱１０２に対して固定される。このとき、ブラケット１の長手方向（左右方向）が列幅方向と一致するようにブラケット１を固定する。一方、ボルト２８から袋ナット２９を外し、一対の片側材１２を相互に分離することにより、ブラケット１を支柱１０２から取り外すことができる。このように、ブラケット１は支柱１０２に対して着脱可能である。
【００３０】
図７（ａ）及び（ｂ）に示すように、各支柱１０２にブラケット１が取り付けられた状態では、各ブラケット１の片側に取り付けられたバネ材１３は、その中心軸が１本の直線Ｌに一致するように配置される。このとき、バネ材１３にはボルト用の穴として長穴１３ｂが形成されているため、バネ材１３の位置及び方向を微調整することができる。上述の如く、ブラケット１は、その長手方向（左右方向）が列幅方向と一致するように支柱１０２に連結するが、実際には少しずれてしまう場合がある。図７（ａ）に示すように、ブラケット１が延びる方向（左右方向）が列幅方向にうまく一致した場合には、長穴１３ｂの中央にボルト１４を配置すればよい。一方、図７（ｂ）に示すように、ブラケット１が延びる方向が列幅方向に対して傾斜してしまった場合でも、長穴１３ｂ内の適当な位置にボルト１４を配置することにより、バネ材１３の中心軸を直線Ｌに一致させることができる。このため、支柱１０２へのブラケット１の取り付けを、過度に正確に行う必要はない。
【００３１】
次に、ブラケット１に水平バー１０３を着脱する方法について説明する。
水平バー１０３をブラケット１に取り付ける場合には、ブラケット１が支柱１０２に取り付けられた状態で、水平バー１０３をブラケット１のバネ材１３にはめ込む。具体的には、図８（ａ）に示すように、作業者（図示せず）が水平バー１０３を、バネ材１３から見て外側斜め上方、すなわち、垂直上方に対して列幅方向における支柱１０２から離れる側に傾斜した方向から、バネ材１３に向けて移動させて、切込１３ａ内に押し込む。このとき、バネ材１３が弾性変形することにより、バネ材１３の内部に水平バー１０３を装入することができる。バネ材１３はある程度の剛性を持っているため、一旦バネ材１３にはめ込まれた水平バー１０３は、簡単には外れない。これにより、一列に配列された複数本の支柱１０２が、２本の水平バー１０３を共同で支持することができる。なお、「外側斜め上方」が列幅方向及び垂直方向に対してなす角度は、例えば約４５°である。
【００３２】
一方、水平バー１０３をブラケット１から取り外す場合には、水平バー１０３を外側斜め上方に引き抜く。これにより、バネ材１３が弾性変形し、水平バー１０３に切込１３ａを通過させて、水平バー１０３を解放する。このように、本実施形態においては、水平バー１０３を単にバネ材１３に対して押し込むだけで、水平バー１０３をバネ材１３に装着し、水平バー１０３をバネ材１３から引き抜くだけで、水平バー１０３をバネ材１３から取り外すことができる。このため、水平バー１０３を容易に着脱させることができる。また、切込１３ａはバネ材１３の中心軸１３ｏから見て外側斜め上方に向けて開口しているため、外側斜め上方から又は外側斜め上方に向けて水平バー１０３を移動させることにより、水平バー１０３をバネ材１３に対してスムーズに着脱させることができる。
【００３３】
次に、ブラケット１に短型水平バー１０４を着脱する方法について説明する。
先ず、短型水平バー１０４の一端部を、１本の支柱１０２に取り付けられたブラケット１の円柱材３４にはめ込む。具体的には、短型水平バー１０４を円柱材３４に近づけることにより、短型水平バー１０４の内部に円柱材３４を進入させる。このとき、円柱材３４の外径は短型水平バー１０４の内径よりも小さいため、短型水平バー１０４の一端部を円柱材３４にはめ込んだ状態においても、短型水平バー１０４をある程度傾けることができる。次に、短型水平バー１０４の他端部を、隣の支柱１０２に取り付けられたブラケット１のバネ材３２に、斜め上方からはめ込む。これにより、隣り合う２本の支柱１０２間に、短型水平バー１０４を取り付けることができる。一方、短型水平バー１０４をブラケット１から取り外す場合には、短型水平バー１０４の他端部を斜め上方に引っ張り、バネ材３２から取り外す。次に、短型水平バー１０４を支柱配列方向に移動させて、円柱材３４から引き抜く。このように、本実施形態においては、短型水平バー１０４の着脱も容易である。
【００３４】
そして、ハンガーラック１０１に衣服１１１を保持させる場合には、ブラケット１に水平バー１０３及び短型水平バー１０４が取り付けられた状態で、水平バー１０３及び短型水平バー１０４に、衣服１１１が掛けられた衣服用ハンガー１１０を吊り下げる。
一方、ハンガーラック１０１から衣服１１１を取り外す場合には、図８（ｂ）に示すように、水平バー１０３に吊り下げられた衣服用ハンガー１１０を垂直上方に引き上げる。このとき、衣服１１１が下方から水平バー１０３に衝突し、水平バー１０３を垂直上方に向けて突き上げる場合があるが、この場合においても、バネ材１３の切込１３ａは外側斜め上方に向かって開口されているため、水平バー１０３はバネ材１３から容易には外れない。短型水平バー１０４に吊り下げられた衣服１１１を取り外す場合も同様である。
【００３５】
次に、本実施形態の効果について説明する。
本実施形態に係るブラケット１においては、切込１３ａが形成された円筒形のバネ材１３が設けられており、このバネ材１３が弾性変形することにより、切込１３ａを介して水平バー１０３を着脱させることができる。このため、水平バー１０３を着脱するためにネジを止めたり外したりする必要がなく、水平バー１０３の着脱が容易である。
【００３６】
また、ブラケット１においては、バネ材３２及び円柱材３４が設けられているため、隣り合う２本のブラケット１により、短型水平バー１０４を支持することができる。これにより、２本のブラケット１の間に合計３本のバーを張架させることができ、ハンガーラック１０１による衣服１１１の保持量を増やすことができる。そして、バネ材３２及び円柱材３４を用いることにより、ネジを止めたり外したりすることなく、短型水平バー１０４をブラケット１に対して容易に着脱することができる。
【００３７】
更にまた、ブラケット１においては、バネ材１３の切込１３ａがバネ材１３の中心軸１３ｏから見て外側斜め上方に向けて開口している。これにより、図８（ａ）に示すように、水平バー１０３をバネ材１３に装着する場合には、水平バー１０３を外側斜め上方からバネ材１３に押し込み、水平バー１０３をバネ材１３から取り外す場合には、水平バー１０３をバネ材１３から外側斜め上方に向けて引き抜けば、スムーズに着脱を行うことができる。また、水平バー１０３は長さが例えば十数メートルと長く、それなりに重量もあるため、取り回しがやや困難であるが、本実施形態によれば、水平バー１０３の着脱作業をハンガーラック１０１の外側、すなわち、通路側から行うことができるため、作業が容易になる。
【００３８】
一方、図８（ｂ）に示すように、水平バー１０３から衣服１１１を取り外す場合には、衣服１１１を垂直上方に持ち上げることになる。このとき、衣服１１１の肩部等が水平バー１０３に衝突し、水平バー１０３に垂直上方に向けた力が印加される場合がある。特に、多数の衣服１１１を同時に取り外す場合には、水平バー１０３に衝突した場合の衝撃力が大きい。しかしながら、本実施形態においては、切込１３ａが垂直上方には向いていないため、水平バー１０３に垂直上方の力が印加されても、水平バー１０３はバネ材１３から外れにくい。これらの効果は、短型水平バー１０４についても同様である。
【００３９】
更にまた、バネ材１３にはボルト用の穴として円周方向に延びる長穴１３ｂが形成されているため、ブラケット１を支柱１０２に取り付ける際の取付角度に誤差があっても、その誤差を補償することができる。これにより、支柱１０２へのブラケット１の取付作業を過度に正確に行う必要はなくなり、その分、作業効率が向上する。
【００４０】
このように、本実施形態によれば、ネジ止め作業を伴うことなく、水平バー１０３及び短型水平バー１０４を簡単にブラケット１に着脱することができる。また、支柱１０２にブラケット１を取り付ける際の作業性も高い。これにより、ハンガーラック１０１の組み替え、すなわち、水平バー１０３及び短型水平バー１０４の取付高さの変更及び段数の変更を、簡便に行うことができる。この結果、流通する商品に応じて頻繁に、例えば季節毎にハンガーラック１０１の組み替えを行うことが可能となり、保管場所の面積効率を高めることができる。
【００４１】
更にまた、ブラケット１の梁材１１は同じ形状の一対の片側材１２によって構成されている。これにより、片側材１２を同じ金型により製造することができるため、ブラケット１の製造コストを抑えることができる。また、一方の片側材１２のみが破損した場合には、破損した片側材１２だけを交換すればよいため、全体として補修コストを低く抑えることができる。
【００４２】
次に、本発明の第２の実施形態について説明する。
図９は、本実施形態に係るハンガーラック用ブラケットを例示する斜視図である。
図９に示すように、本実施形態に係るハンガーラック用ブラケット２は、前述の第１の実施形態に係るハンガーラック用ブラケット１と比較して、支持板３１、バネ材３２、固定板３３及び円柱材３４の取付位置が異なっている。すなわち、ブラケット２においては、固定板３３は一方の片側材１２の湾曲部２２の下面に取り付けられており、従って、円柱材３４はこの一方の片側材１２よりも下方に配置されている。また、他方の片側材１２の湾曲部２２の下面には、表裏面が前後方向に向いた固定板３５が取り付けられており、固定板３５に支持板３１が取り付けられている。従って、バネ材３２はこの他方の片側材１２よりも下方に配置されている。本実施形態に係るハンガーラック用ブラケット２は、短型水平バー１０４を水平バー１０３よりも下方に配置したい場合に好適である。本実施形態における上記以外の構成、使用方法及び効果は、前述の第１の実施形態と同様である。
【００４３】
以上、実施形態を参照して本発明を説明したが、本発明はこれらの実施形態に限定されるものではない。前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含有される。
【００４４】
例えば、バネ材の材質、板厚、形状、切込の幅は、前述の例には限定されず、水平バー１０３の直径及びハンガーラック１０１の使用状態等に応じて、適宜最適化することができる。例えば、バネ材１３及び３２の形状は円筒形には限定されず、水平バー１０３及び短型水平バー１０４の断面形状に合わせた形状とすることができる。同様に、円柱材３４の形状も円柱形には限定されず、短型水平バー１０４の断面形状に合わせた形状とすることができる。また、水平バー１０３及び短型水平バー１０４の着脱性と保持性とを両立させるために、バネ材の材質、板厚、形状及び切込の幅等を適宜改良したものも、本発明の範囲に含まれる。
【００４５】
更に、前述の各実施形態においては、片側材１２のネジ止め部２１及び腕部２３の形状が平板状であり、湾曲部２２の形状は平板が単純に湾曲された形状である例を示したが、本発明はこれに限定されず、例えば、湾曲部２２は上下のエッジが湾曲の内側に向かうように加工されていてもよい。これにより、湾曲部２２のエッジが支柱１０２に食い込み、ブラケット１をより強固に支柱１０２に対して固定することができる。また、片側材１２を複数の部品によって構成し、その長さを変更可能としてもよい。例えば、基準となる片側材１２を作製しておき、顧客のニーズに合わせて、腕部２３を１ヶ所で切断して切断面の間に中継材を介在させて全体の長さを長くしたり、腕部２３を２ヶ所で切断して腕部２３の中間部分を除去して全体の長さを短くしてもよい。また、片側材１２を構成する複数の部品同士を相互に移動可能に連結し、全体の長さを伸縮できるようにしてもよい。
【００４６】
更にまた、前述の各実施形態においては、梁材１１が一対の片側材１２により構成されている例を示したが、本発明はこれに限定されない。例えば、梁材１１が一体的に形成されており、梁材１１との間で支柱１０２を挟み込む連結部材が設けられていてもよい。この連結部材は、例えば、その一端が蝶番により梁材１１に回動自在に取り付けられており、ワンタッチで支柱１０２を挟み込むようになっていてもよい。
【００４７】
更にまた、ブラケット１に支持板３１、バネ材３２、固定板３３及び円柱材３４を設けず、短型水平バー１０４を支持しないようにしてもよい。これにより、ハンガーラック１０１の水平バーは２列となり、衣服の保持量は減少するが、全ての衣服を通路に面した位置に吊り下げることができ、作業性が向上する。
【００４８】
更にまた、前述の各実施形態においては、全てのブラケット１について、バネ材１３の切込１３ａを外側斜め上方に向けて開口させる例を示したが、何本かに１本のブラケットについては、切込１３ａを下方に向けて開口させてもよい。これにより、水平バー１０３を上方から押さえることができ、水平バー１０３がより一層外れにくくなる。
【符号の説明】
【００４９】
１、２  ハンガーラック用ブラケット、１１  梁材、１２  片側材、１３  バネ材、１３ａ  切込、１３ｂ  長穴、１３ｏ  中心軸、１４  ボルト、１５  ナット、２１  ネジ止め部、２１ａ  穴、２２  湾曲部、２３  腕部、２３ａ  穴、２４  延出部、２５  支持板、２５ａ  穴、２８  ボルト、２９  袋ナット、３１  支持板、３２  バネ材、３２ａ  切込、３３  固定板、３４  円柱材、３５  固定板、１００  床面、１０１  ハンガーラック、１０２  支柱、１０３  水平バー、１０４  短型水平バー、１１０  衣服用ハンガー、１１１  衣服、Ｌ  直線
【図１】
2011083522.tif 000003
【図２】
2011083522.tif 000004
【図３】
2011083522.tif 000005
【図４】
2011083522.tif 000006
【図５】
2011083522.tif 000007
【図６】
2011083522.tif 000008
【図７】
2011083522.tif 000009
【図８】
2011083522.tif 000010
【図９】
2011083522.tif 000011